(57)【要約】【課題】作業工程指示の急な変更に対応し、次作業内容の確実な指示を可能とする。【解決手段】ＲＦＩＤタグ５０の格納情報が含む作業工程順序および各作業工程の識別情報と記憶手段の管理識別情報とを照合し、後続作業工程の作業工程順序および識別情報と該当作業対象物の情報とを含む変更確認要求を管理サーバ２００に送る変更確認手段１１０と、変更確認要求に応じた判定結果を管理サーバ１００より受信し後続作業工程において変更がある作業工程の識別情報を出力する変更情報出力手段１１１とを備える端末１００と、  変更確認要求が含む作業対象物の情報および後続作業工程の作業工程順序および識別情報と工程コードテーブル２２５とを照合し、後続作業工程について工程コードテーブルで変更が生じている作業工程を判定し、当該判定結果を端末に送る判定手段２１０を備える管理サーバ２００とから工程管理システム１０を構成する。【選択図】図１
2010146090.tif 000002
【特許請求の範囲】
【請求項１】
他装置と通信する通信手段と、管理対象である作業工程の識別情報たる管理識別情報を記憶する記憶手段とを備え、作業対象物に対する各作業工程が実施される各現場に設置される端末が、
作業対象物に付帯する前記ＲＦＩＤタグに対する読み取り動作を行ったリーダライタより、前記ＲＦＩＤタグの格納情報を通信手段を介して受信し、ここで受信した格納情報が含む作業工程順序および各作業工程の識別情報と、前記記憶手段から読み出した管理識別情報とを照合し、前記管理識別情報に対応する作業工程より順序が後の後続作業工程の識別情報を特定し、この後続作業工程の作業工程順序および識別情報と該当作業対象物の情報とを含む変更確認要求を、前記通信手段を介して管理サーバに送信する、変更確認処理を実行し、
他装置と通信する通信手段と、作業対象物毎の作業工程順序と各作業工程の識別情報とを格納した工程コードテーブルを記憶する記憶手段とを備えた管理サーバが、
前記通信手段を介して変更確認要求を前記端末から受信し、当該変更確認要求が含む前記作業対象物の情報および後続作業工程の作業工程順序および識別情報と、前記工程コードテーブルとを照合し、該当作業対象物の前記後続作業工程について前記工程コードテーブルで変更が生じている作業工程を判定し、当該判定結果を前記通信手段を介して前記端末に送信する、判定処理を実行し、
前記端末が、
前記通信手段を介して前記判定結果を管理サーバより受信し、当該判定結果が示す前記後続作業工程において変更がある作業工程の識別情報を出力インターフェースに出力する、変更情報出力処理を実行する、
ことを特徴とする工程管理方法。
【請求項２】
前記管理サーバが、
入力インターフェースないし前記通信手段を介した他端末から、作業対象物の情報を含む書込指示を受け付けて、前記記憶手段の工程コードテーブルより該当作業対象物に対応する作業工程順序とそれに含まれる各作業工程の識別情報とを読み出して、これら書込用情報を、前記通信手段を介したリーダライタ経由で、前記作業対象物に取り付けられるＲＦＩＤタグに対して書き込みを行う書込処理と、
前記ＲＦＩＤタグに関する書込用情報の全部または一部についての印字媒体への印刷指示を、前記通信手段を介してプリンタ装置に送信する印字指示処理と、
前記管理サーバと通信可能に結ばれたプリンタ装置が、
前記管理サーバより前記印刷指示を受信し、当該印刷指示が含む前記書込用情報の全部または一部の情報を印字媒体に印字処理し、搬送機構により前記印字媒体を排出する、印字処理を実行する、
ことを特徴とする請求項１に記載の工程管理方法。
【請求項３】
前記ＲＦＩＤタグが、前記印字媒体の収容構造を備えており、
前記プリンタ装置が、前記印字処理の完了した印字媒体を、前記搬送機構により前記ＲＦＩＤタグの収容構造に収容する媒体収容処理を実行する、
ことを特徴とする請求項２に記載の工程管理方法。
【請求項４】
前記端末が前記変更情報出力処理において、
前記判定結果が示す前記後続作業工程において変更がある作業工程の識別情報と、前記印字媒体の印字内容の確認要求とを出力インターフェースに出力し、入力インターフェースにて、前記変更がある作業工程の書き込み承認指示を受け付けて、前記後続作業工程において変更がある作業工程について変更後の識別情報へ書き換える処理を、前記通信手段を介したリーダライタ経由で、前記作業対象物に取り付けられるＲＦＩＤタグに対して実行する、
ことを特徴とする請求項２または３に記載の工程管理方法。
【請求項５】
前記端末が、
入力インターフェースないし前記通信手段を介した他端末から作業完了通知を受信し、作業対象物に付帯した前記ＲＦＩＤタグに対する、該当作業工程の識別情報に対応付けた作業完了フラグの書込処理を前記通信手段とリーダライタを介して実行する完了設定処理と、
前記ＲＦＩＤタグの格納情報が含む作業工程順序および各作業工程の識別情報に基づいて、前記作業完了フラグの書込処理対象となった作業工程の次作業工程の識別情報を特定し、当該次作業工程の識別情報を出力インターフェースに出力する、次作業工程指示処理と、
を実行することを特徴とする請求項１〜４のいずれかに記載の工程管理方法。
【請求項６】
前記端末が、作業対象物に付帯する前記ＲＦＩＤタグに対する読み取り動作を行ったリーダライタより、前記ＲＦＩＤタグの格納情報を通信手段を介して受信し、ここで受信した格納情報が含む作業工程順序および各作業工程の識別情報と、前記記憶手段から読み出した管理識別情報とを照合し、前記管理識別情報に対応する作業工程より順序が前の前作業工程の識別情報を特定し、この前作業工程毎の作業完了フラグを前記受信した格納情報で特定し、前記前作業工程において前記作業完了フラグが対応付いていない作業工程があれば、該当作業工程の識別情報を未完了作業工程の情報として出力インターフェースに出力する、未完了警告処理を実行することを特徴とする請求項５に記載の工程管理方法。
【請求項７】
前記端末が、
前記変更情報出力処理において、前記管理サーバから受信した前記判定結果が、前記後続作業工程において変更がある作業工程が無いものであり、前記未完了警告処理において、前作業工程に作業完了フラグが対応付いていない作業工程が無いと判定した場合に、前記完了設定処理を実行する、ことを特徴とする請求項６に記載の工程管理方法。
【請求項８】
他装置と通信する通信手段と、
管理対象である作業工程の識別情報たる管理識別情報を記憶する記憶手段と、
作業対象物に付帯する前記ＲＦＩＤタグに対する読み取り動作を行ったリーダライタより、前記ＲＦＩＤタグの格納情報を通信手段を介して受信し、ここで受信した格納情報が含む作業工程順序および各作業工程の識別情報と、前記記憶手段から読み出した管理識別情報とを照合し、前記管理識別情報に対応する作業工程より順序が後の後続作業工程の識別情報を特定し、この後続作業工程の作業工程順序および識別情報と該当作業対象物の情報とを含む変更確認要求を、前記通信手段を介して管理サーバに送信する、変更確認手段と、
前記通信手段を介して前記変更確認要求に応じた判定結果を管理サーバより受信し、当該判定結果が示す前記後続作業工程において変更がある作業工程の識別情報を出力インターフェースに出力する、変更情報出力手段とを備える端末と、
他装置と通信する通信手段と、
作業対象物毎の作業工程順序と各作業工程の識別情報とを格納した工程コードテーブルを記憶する記憶手段と、
前記通信手段を介して変更確認要求を前記端末から受信し、当該変更確認要求が含む前記作業対象物の情報および後続作業工程の作業工程順序および識別情報と、前記工程コードテーブルとを照合し、該当作業対象物の前記後続作業工程について前記工程コードテーブルで変更が生じている作業工程を判定し、当該判定結果を前記通信手段を介して前記端末に送信する、判定手段とを備える管理サーバと、
を含むことを特徴とする工程管理システム。
【請求項９】
他装置と通信する通信手段と、
作業対象物毎の作業工程順序と各作業工程の識別情報とを格納した工程コードテーブルを記憶する記憶手段と、
入力インターフェースないし前記通信手段を介した他端末から、作業対象物の情報を含む書込指示を受け付けて、前記記憶手段の工程コードテーブルより該当作業対象物に対応する作業工程順序とそれに含まれる各作業工程の識別情報とを読み出して、これら書込用情報を、前記通信手段を介したリーダライタ経由で、前記作業対象物に取り付けられるＲＦＩＤタグに対して書き込みを行う書込手段と、
前記ＲＦＩＤタグに関する書込用情報の全部または一部についての印字媒体への印刷指示を、前記通信手段を介してプリンタ装置に送信する印字指示手段と、
前記通信手段を介して変更確認要求を前記端末から受信し、当該変更確認要求が含む前記作業対象物の情報および所定作業工程の作業工程順序および識別情報と、前記工程コードテーブルとを照合し、該当作業対象物の前記所定作業工程のうち前記工程コードテーブルで変更が生じている作業工程を判定し、当該判定結果を前記通信手段を介して前記端末に送信する、判定手段と、
を備えることを特徴とする管理サーバ。
【請求項１０】
他装置と通信する通信手段と、
管理対象である作業工程の識別情報たる管理識別情報を記憶する記憶手段と、
作業対象物に付帯するＲＦＩＤタグに対する読み取り動作を行ったリーダライタより、前記ＲＦＩＤタグの格納情報を前記通信手段を介して受信し、ここで受信した格納情報が含む作業工程順序および各作業工程の識別情報と、前記記憶手段から読み出した管理識別情報とを照合し、前記管理識別情報に対応する作業工程より順序が後の後続作業工程の識別情報を特定し、この後続作業工程の作業工程順序および識別情報と該当作業対象物の情報とを含む変更確認要求を、前記通信手段を介して管理サーバに送信する、変更確認手段と、
前記通信手段を介して前記変更確認要求に応じた判定結果を管理サーバより受信し、当該判定結果が示す変更がある作業工程の識別情報を出力インターフェースに出力する、変更情報出力手段と、
を備えることを特徴とする端末。
【請求項１１】
印字媒体の収容構造を備えたことを特徴とするＲＦＩＤタグ。
【発明の詳細な説明】
【技術分野】
【０００１】
本発明は、工程管理方法、工程管理システム、管理サーバ、端末、およびＲＦＩＤタグに関するものであり、具体的には、作業工程指示の急な変更に対応し、次作業内容の確実な指示を可能とする技術に関する。
【背景技術】
【０００２】
近年、管理対象物にＲＦＩＤタグを設け、当該ＲＦＩＤタグに記憶されている情報に応じて、当該対象物を管理する技術が採用されはじめている。例えば生産管理に関して、１つ以上の作業工程およびその工程順と、各作業工程が作業済みか否かを示す作業状態フラグとを示した工程情報をＲＦＩＤタグの記憶部に記憶し、各工程に設置される端末装置は、リーダライタで読み取ったＲＦＩＤタグの作業工程と、その工程順と、各作業工程が作業済みか否かを示す作業状態フラグとを参照して、複数の作業工程において次の作業工程の指示制御を容易に行う技術（特許文献１参照）などが提案されている。
【特許文献１】特開２００７−２１３１３２号公報
【発明の開示】
【発明が解決しようとする課題】
【０００３】
しかしながら、ＲＦＩＤタグのみを用いて工程管理等を行う場合、作業対象などに添付されているＲＦＩＤタグの格納情報を作業員らが目視確認することはできない。従って、ＲＦＩＤタグやそれを利用する装置等に不具合が発生した際、前記作業員らはＲＦＩＤタグの格納情報に基づく作業内容を知ることが出来なくなる。一方、ＲＦＩＤタグの格納情報をＲＦＩＤタグ表面に印字するとした場合、工程内容の変更が発生してもＲＦＩＤタグ表面の印字情報を簡単には変更出来ず、前記作業員らが変更後の作業内容を迅速に確認することが難しい。
【０００４】
そこで本発明は上記課題を鑑みてなされたものであり、作業工程指示の急な変更に対応し、次作業内容の確実な指示を可能とする技術の提供を主たる目的とする。
【課題を解決するための手段】
【０００５】
上記課題を解決する本発明の工程管理方法は、ＲＦＩＤタグを付帯させた作業対象物（生産ライン上の製品、半製品など）に対する作業工程を管理する手法であり、作業工程毎に設置されている端末と、これら端末とネットワークで結ばれている管理サーバとを少なくとも含むコンピュータシステムが実行するものである。
【０００６】
すなわち、前記端末は、他装置と通信する通信手段と、管理対象である作業工程の識別情報たる管理識別情報を記憶する記憶手段とを備え、作業対象物に対する各作業工程が実施される各現場に設置される端末である。
【０００７】
この端末は、作業対象物に付帯する前記ＲＦＩＤタグに対する読み取り動作を行ったリーダライタより、前記ＲＦＩＤタグの格納情報を通信手段を介して受信し、ここで受信した格納情報が含む作業工程順序および各作業工程の識別情報と、前記記憶手段から読み出した管理識別情報とを照合し、前記管理識別情報に対応する作業工程より順序が後の後続作業工程の識別情報を特定し、この後続作業工程の作業工程順序および識別情報と該当作業対象物の情報とを含む変更確認要求を、前記通信手段を介して管理サーバに送信する、変更確認処理を実行する。
【０００８】
また、一方、前記管理サーバは、他装置と通信する通信手段と、作業対象物毎の作業工程順序と各作業工程の識別情報とを格納した工程コードテーブルを記憶する記憶手段とを備えたサーバ装置であり、前記通信手段を介して変更確認要求を前記端末から受信し、当該変更確認要求が含む前記作業対象物の情報および後続作業工程の作業工程順序および識別情報と、前記工程コードテーブルとを照合し、該当作業対象物の前記後続作業工程について前記工程コードテーブルで変更が生じている作業工程を判定し、当該判定結果を前記通信手段を介して前記端末に送信する、判定処理を実行する。
【０００９】
他方、前記端末は、前記通信手段を介して前記判定結果を管理サーバより受信し、当該判定結果が示す前記後続作業工程において変更がある作業工程の識別情報を出力インターフェースに出力する、変更情報出力処理を実行する。
【００１０】
なお、前記工程管理方法において、前記管理サーバが、入力インターフェースないし前記通信手段を介した他端末から、作業対象物の情報を含む書込指示を受け付けて、前記記憶手段の工程コードテーブルより該当作業対象物に対応する作業工程順序とそれに含まれる各作業工程の識別情報とを読み出して、これら書込用情報を、前記通信手段を介したリーダライタ経由で、前記作業対象物に取り付けられるＲＦＩＤタグに対して書き込みを行う書込処理を実行するとすれば好適である。
【００１１】
この場合、前記管理サーバは、前記ＲＦＩＤタグに関する書込用情報の全部または一部についての印字媒体への印刷指示を、前記通信手段を介してプリンタ装置に送信する印字指示処理を実行する。
【００１２】
また、前記プリンタ装置は、前記管理サーバと通信可能に結ばれており、前記管理サーバより前記印刷指示を受信し、当該印刷指示が含む前記書込用情報の全部または一部の情報を印字媒体に印字処理し、搬送機構により前記印字媒体を排出する、印字処理を実行することとなる。
【００１３】
また、前記工程管理方法において、前記ＲＦＩＤタグが、前記印字媒体の収容構造を備えており、前記プリンタ装置が、前記印字処理の完了した印字媒体を、前記搬送機構により前記ＲＦＩＤタグの収容構造に収容する媒体収容処理を実行する、としてもよい。
【００１４】
なお、前記工程管理方法における前記端末が、前記変更情報出力処理において、前記判定結果が示す前記後続作業工程において変更がある作業工程の識別情報と、前記印字媒体の印字内容の確認要求とを出力インターフェースに出力し、入力インターフェースにて、前記変更がある作業工程の書き込み承認指示を受け付けて、前記後続作業工程において変更がある作業工程について変更後の識別情報へ書き換える処理を、前記通信手段を介したリーダライタ経由で、前記作業対象物に取り付けられるＲＦＩＤタグに対して実行する、としてもよい。
【００１５】
また、前記工程管理方法において、前記端末が、入力インターフェースないし前記通信手段を介した他端末から作業完了通知を受信し、作業対象物に付帯した前記ＲＦＩＤタグに対する、該当作業工程の識別情報に対応付けた作業完了フラグの書込処理を前記通信手段とリーダライタを介して実行する完了設定処理と、前記ＲＦＩＤタグの格納情報が含む作業工程順序および各作業工程の識別情報に基づいて、前記作業完了フラグの書込処理対象となった作業工程の次作業工程の識別情報を特定し、当該次作業工程の識別情報を出力インターフェースに出力する、次作業工程指示処理と、を実行するとしてもよい。
【００１６】
また、前記工程管理方法において、前記端末が、作業対象物に付帯する前記ＲＦＩＤタグに対する読み取り動作を行ったリーダライタより、前記ＲＦＩＤタグの格納情報を通信手段を介して受信し、ここで受信した格納情報が含む作業工程順序および各作業工程の識別情報と、前記記憶手段から読み出した管理識別情報とを照合し、前記管理識別情報に対応する作業工程より順序が前の前作業工程の識別情報を特定し、この前作業工程毎の作業完了フラグを前記受信した格納情報で特定し、前記前作業工程において前記作業完了フラグが対応付いていない作業工程があれば、該当作業工程の識別情報を未完了作業工程の情報として出力インターフェースに出力する、未完了警告処理を実行するとしてもよい。
【００１７】
また、前記工程管理方法において、前記端末が、前記変更情報出力処理において、前記管理サーバから受信した前記判定結果が、前記後続作業工程において変更がある作業工程が無いものであり、前記未完了警告処理において、前作業工程に作業完了フラグが対応付いていない作業工程が無いと判定した場合に、前記完了設定処理を実行する、としてもよい。
【００１８】
また、本発明の工程管理システムは、他装置と通信する通信手段と、管理対象である作業工程の識別情報たる管理識別情報を記憶する記憶手段と、作業対象物に付帯する前記ＲＦＩＤタグに対する読み取り動作を行ったリーダライタより、前記ＲＦＩＤタグの格納情報を通信手段を介して受信し、ここで受信した格納情報が含む作業工程順序および各作業工程の識別情報と、前記記憶手段から読み出した管理識別情報とを照合し、前記管理識別情報に対応する作業工程より順序が後の後続作業工程の識別情報を特定し、この後続作業工程の作業工程順序および識別情報と該当作業対象物の情報とを含む変更確認要求を、前記通信手段を介して管理サーバに送信する、変更確認手段と、前記通信手段を介して前記変更確認要求に応じた判定結果を管理サーバより受信し、当該判定結果が示す前記後続作業工程において変更がある作業工程の識別情報を出力インターフェースに出力する、変更情報出力手段とを備える端末と、他装置と通信する通信手段と、作業対象物毎の作業工程順序と各作業工程の識別情報とを格納した工程コードテーブルを記憶する記憶手段と、前記通信手段を介して変更確認要求を前記端末から受信し、当該変更確認要求が含む前記作業対象物の情報および後続作業工程の作業工程順序および識別情報と、前記工程コードテーブルとを照合し、該当作業対象物の前記後続作業工程について前記工程コードテーブルで変更が生じている作業工程を判定し、当該判定結果を前記通信手段を介して前記端末に送信する、判定手段とを備える管理サーバと、を含むことを特徴とする。
【００１９】
また、本発明の管理サーバは、他装置と通信する通信手段と、作業対象物毎の作業工程順序と各作業工程の識別情報とを格納した工程コードテーブルを記憶する記憶手段と、入力インターフェースないし前記通信手段を介した他端末から、作業対象物の情報を含む書込指示を受け付けて、前記記憶手段の工程コードテーブルより該当作業対象物に対応する作業工程順序とそれに含まれる各作業工程の識別情報とを読み出して、これら書込用情報を、前記通信手段を介したリーダライタ経由で、前記作業対象物に取り付けられるＲＦＩＤタグに対して書き込みを行う書込手段と、前記ＲＦＩＤタグに関する書込用情報の全部または一部についての印字媒体への印刷指示を、前記通信手段を介してプリンタ装置に送信する印字指示手段と、前記通信手段を介して変更確認要求を前記端末から受信し、当該変更確認要求が含む前記作業対象物の情報および所定作業工程の作業工程順序および識別情報と、前記工程コードテーブルとを照合し、該当作業対象物の前記所定作業工程のうち前記工程コードテーブルで変更が生じている作業工程を判定し、当該判定結果を前記通信手段を介して前記端末に送信する、判定手段と、を備えることを特徴とする。
【００２０】
また、本発明の端末は、他装置と通信する通信手段と、管理対象である作業工程の識別情報たる管理識別情報を記憶する記憶手段と、作業対象物に付帯するＲＦＩＤタグに対する読み取り動作を行ったリーダライタより、前記ＲＦＩＤタグの格納情報を前記通信手段を介して受信し、ここで受信した格納情報が含む作業工程順序および各作業工程の識別情報と、前記記憶手段から読み出した管理識別情報とを照合し、前記管理識別情報に対応する作業工程より順序が後の後続作業工程の識別情報を特定し、この後続作業工程の作業工程順序および識別情報と該当作業対象物の情報とを含む変更確認要求を、前記通信手段を介して管理サーバに送信する、変更確認手段と、前記通信手段を介して前記変更確認要求に応じた判定結果を管理サーバより受信し、当該判定結果が示す変更がある作業工程の識別情報を出力インターフェースに出力する、変更情報出力手段と、を備えることを特徴とする。
【００２１】
また、本発明のＲＦＩＤタグは、印字媒体の収容構造を備えたことを特徴とする。なお、前記ＲＦＩＤタグは、リーダライタとの無線通信機能を備えて作業対象物に取付可能な記憶媒体であればいずれの記憶媒体でもよい。
【００２２】
また、前記管理サーバは、入力インターフェースや通信手段を介した管理端末より前記工程コードテーブルの変更指示を受け付けて、データの更新や削除、新規登録等を行うものとする。
【００２３】
その他、本願が開示する課題、及びその解決方法は、発明の実施の形態の欄、及び図面により明らかにされる。
【発明の効果】
【００２４】
本発明によれば、作業工程指示の急な変更に対応し、次作業内容の確実な指示が可能となる。
【発明を実施するための最良の形態】
【００２５】
−−−システム構成−−−
以下に本発明の実施形態について図面を用いて詳細に説明する。図１は、本実施形態の工程管理システム１０のネットワーク構成図である。図１に示す工程管理システム１０は、作業工程指示の急な変更に対応し、次作業内容の確実な指示を可能とするコンピュータシステムである。こうした本実施形態における工程管理システム１０を構成する各装置について以下説明する。
【００２６】
前記工程管理システム１０（以下システム１０）を構成する端末１００は、作業対象物に対する各作業工程が実施される各現場に設置されるコンピュータであり、本発明を実現する機能を備えるべくハードディスクドライブなどの不揮発性の記憶手段１０１に格納されたプログラム１０２をＲＡＭ１０３に読み出し、演算装置たるＣＰＵ１０４により実行する。また、前記端末１００は、コンピュータ装置が一般に備えている各種キーボードやボタン類などの入力インターフェイス１０５、ディスプレイなどの出力インターフェイス１０６を備える。また、前記ＲＦＩＤタグ５０のリーダライタ２０、管理サーバ２００などとの間のデータ授受を担う通信手段１０７を有している。
【００２７】
続いて、前記システム１０を構成する前記端末１００が、例えばプログラム１０２に基づき前記記憶手段１０１にて構成・保持する機能部につき説明を行う。なお、前記端末１００は、記憶手段において、管理対象である作業工程の識別情報たる管理識別情報５を格納している。この管理識別情報５は、前記端末１００が担当する作業工程の工程コードとなる。
【００２８】
こうした前記端末１００は、作業対象物に付帯する前記ＲＦＩＤタグ５０に対する読み取り動作を行ったリーダライタ２０より、前記ＲＦＩＤタグ５０の格納情報を通信手段１０７を介して受信し、ここで受信した格納情報が含む作業工程順序および各作業工程の識別情報と、前記記憶手段１０１から読み出した管理識別情報とを照合し、前記管理識別情報に対応する作業工程より順序が後の後続作業工程の識別情報を特定し、この後続作業工程の作業工程順序および識別情報と該当作業対象物の情報とを含む変更確認要求を、前記通信手段１０７を介して管理サーバ２００に送信する、変更確認手段１１０を備える。
【００２９】
また、前記端末１００は、前記通信手段１０７を介して前記変更確認要求に応じた判定結果を前記管理サーバ２００より受信し、当該判定結果が示す前記後続作業工程において変更がある作業工程の識別情報を出力インターフェース１０６に出力する、変更情報出力手段１１１を備える。
【００３０】
また、前記端末１００の前記変更情報出力手段１１１は、前記判定結果が示す前記後続作業工程において変更がある作業工程の識別情報と、前記印字媒体の印字内容の確認要求とを出力インターフェース１０６に出力し、入力インターフェース１０５にて、前記変更がある作業工程の書き込み承認指示を受け付けて、前記後続作業工程において変更がある作業工程について変更後の識別情報へ書き換える処理を、前記通信手段１０７を介したリーダライタ２０経由で、前記作業対象物に取り付けられるＲＦＩＤタグ５０に対して実行する、とすれば好適である。
【００３１】
また、前記端末１００は、入力インターフェース１０５ないし前記通信手段１０７を介した他端末から作業完了通知を受信し、作業対象物に付帯した前記ＲＦＩＤタグ５０に対する、該当作業工程の識別情報に対応付けた作業完了フラグの書込処理を前記通信手段１０とリーダライタ２０を介して実行する完了設定手段１１２を備えるとすれば好適である。
【００３２】
また、前記端末１００は、前記ＲＦＩＤタグ５０の格納情報が含む作業工程順序および各作業工程の識別情報に基づいて、前記作業完了フラグの書込処理対象となった作業工程の次作業工程の識別情報を特定し、当該次作業工程の識別情報を出力インターフェース１０６に出力する、次作業工程指示手段１１３を備えるとすれば好適である。
【００３３】
また前記端末１００が、作業対象物に付帯する前記ＲＦＩＤタグ５０に対する読み取り動作を行ったリーダライタ２０より、前記ＲＦＩＤタグ５０の格納情報を通信手段１０７を介して受信し、ここで受信した格納情報が含む作業工程順序および各作業工程の識別情報と、前記記憶手段１０１から読み出した管理識別情報とを照合し、前記管理識別情報に対応する作業工程より順序が前の前作業工程の識別情報を特定し、この前作業工程毎の作業完了フラグを前記受信した格納情報で特定し、前記前作業工程において前記作業完了フラグが対応付いていない作業工程があれば、該当作業工程の識別情報を未完了作業工程の情報として出力インターフェース１０６に出力する、未完了警告手段１１４を備えるとすれば好適である。
【００３４】
また、前記端末１００の前記変更情報出力手段１１１が、前記管理サーバ２００から受信した前記判定結果が、前記後続作業工程において変更がある作業工程が無いものであり、前記未完了警告処理において、前作業工程に作業完了フラグが対応付いていない作業工程が無いと判定した場合に、前記完了設定処理を実行する、とすれば好適である。
【００３５】
続いて、前記工程管理システム１０を前記端末１００らと共に構成するのが管理サーバ２００である。この管理サーバ２００は、例えば、前記端末１００が設置された各作業工程を全体にわたって管理するサーバ装置となる。こうした管理サーバ２００は、本発明を実現する機能を備えるべくハードディスクドライブなどの不揮発性の記憶手段２０１に格納されたプログラム２０２をＲＡＭ２０３に読み出し、演算装置たるＣＰＵ２０４により実行する。また、前記管理サーバ２００は、コンピュータ装置が一般に備えている各種キーボードやボタン類などの入力インターフェイス２０５、ディスプレイなどの出力インターフェイス２０６を必要に応じて備えることができる。また、前記端末１００やリーダライタ２５、プリンタ装置３０との間のデータ授受を担う通信手段２０７を有している。
【００３６】
続いて、前記管理サーバ２００が、例えばプログラム２０２に基づき前記記憶手段２０１にて構成・保持する機能部につき説明を行う。なお、前記管理サーバ２００は、工程コードテーブル２２５、組み立てコードテーブル２２６を記憶手段２０１に格納している（各テーブルについては後述）。なお、前記管理サーバ２００は、入力インターフェース２０５や通信手段０７を介した管理端末３００より前記工程コードテーブル２２５や組み立てコードテーブル２２６の変更指示を受け付けて、データの更新や削除、新規登録等を行うものとする。
【００３７】
こうした前記管理サーバ２００は、前記通信手段２０７を介して変更確認要求を前記端末１００から受信し、当該変更確認要求が含む前記作業対象物の情報および後続作業工程の作業工程順序および識別情報と、前記工程コードテーブル２２５とを照合し、該当作業対象物の前記後続作業工程について前記工程コードテーブル２２５で変更が生じている作業工程を判定し、当該判定結果を前記通信手段２０７を介して前記端末１００に送信する、判定手段２１０を備える。
【００３８】
また、前記管理サーバ２００は、入力インターフェース２０５ないし前記通信手段２０７を介した他端末１００から、作業対象物の情報を含む書込指示を受け付けて、前記記憶手段２０１の工程コードテーブル２２５より該当作業対象物に対応する作業工程順序とそれに含まれる各作業工程の識別情報とを読み出して、これら書込用情報を、前記通信手段２０７を介したリーダライタ２５経由で、前記作業対象物に取り付けられるＲＦＩＤタグ５０に対して書き込みを行う書込手段２１１を備える。
【００３９】
また、前記管理サーバ２００は、前記ＲＦＩＤタグ５０に関する書込用情報の全部または一部についての印字媒体３１への印刷指示を、前記通信手段２０７を介してプリンタ装置３０に送信する印字指示手段２１２を備える。
【００４０】
なお、前記プリンタ装置３０は、前記管理サーバ２００とネットワーク等を介して通信可能に結ばれたプリンタ装置である。このプリンタ装置３０は、前記管理サーバ２００より前記印刷指示を受信し、当該印刷指示が含む前記書込用情報の全部または一部の情報を印字媒体３１に印字処理し、搬送機構３２により前記印字媒体３１を排出する、印字手段３６を備える。
【００４１】
前記搬送機構３２は、図２に示すように、プリンタ装置３０の印字媒体排出口３３と前記ＲＦＩＤタグ５０が備える（印字媒体３１の）収容構造５９の開口６０との間を結ぶ搬送路３４、および当該搬送路３４上で前記印字媒体３１を移動させる移動機構３５（例：ごく小型のベルトコンベア機構、印字媒体を把持して移動させるロボットアーム、など）を備えるとしてもよい。この場合、前記プリンタ装置３０の印字媒体排出口３３から排出された印字媒体３１は、前記移動機構３５により前記搬送路３４上を移動して、前記ＲＦＩＤタグ５０の前記開口６０に挿入され、前記収容構造５９に収容される。こうしたプリンタ装置３０は、前記印字処理の完了した印字媒体３１を、前記搬送機構３２により前記ＲＦＩＤタグ５０の収容構造５９に収容する媒体収容処理を実行できる。
【００４２】
なお、前記ＲＦＩＤタグ５０のリーダライタ２０、２５は、ＲＦＩＤチップ５１を備えたＲＦＩＤタグ５０に対するリーダライタ装置である。また、前記ＲＦＩＤタグ５０は、例えば、ＲＦＩＤチップ５１をプラスティック筐体５２などの適宜な収納ケースに格納した形態が想定され、前記リーダライタ２０、２５との間で無線通信可能である。
【００４３】
前記ＲＦＩＤチップ５１は、プログラム５３（リーダライタ２０、２５からの要求に応じて格納情報を返信処理したり、逆にデータを格納処理したりするプログラムなど）を格納するＲＯＭ５４、ＲＡＭ５５、前記プログラム５３をＲＯＭ５４からＲＡＭ５５に読み出して実行するＣＰＵ５６、作業工程順序および各作業工程の識別情報と該当作業工程の識別情報に対応付けた作業完了フラグの各データを含む製品情報１２を記憶するＥＥＰＲＯＭ５７、前記リーダライタ２０、２５との無線通信処理を担う通信手段５８（アンテナも含む）とから構成される。また、図２のA-A断面図に示すように、印字媒体３１を収容する収容構造５９の背面には、前記ＲＦＩＤチップ５１が緩衝材４等で挟まれた形で格納されている。
【００４４】
これまで示した前記システム１０を構成する各装置における各手段１１０〜１１４、２１０〜２１２らはハードウェアとして実現してもよいし、メモリやＨＤＤ（Ｈａｒｄ  Ｄｉｓｋ  Ｄｒｉｖｅ）などの適宜な記憶装置に格納したプログラムとして実現するとしてもよい。この場合、各装置のＣＰＵがプログラム実行に合わせて記憶装置より該当プログラムをＲＡＭに読み出して、これを実行することとなる。
【００４５】
−−−テーブル構造例−−−
次に、本実施形態の前記システム１０が利用するテーブルの例について説明する。図３は、本実施形態における（ａ）工程コードテーブル２２５、（ｂ）組み立てコードテーブル２２６、（ｃ）作業状態フラグテーブル１２５、の各構成例を示す図である。なお、本実施形態では、前記作業対象物としてプリント基板を想定した場合に基づいて説明を行う。勿論、作業対象物としてはプリント基板に限定されるものではなく、工程管理が実行される生産物全般（家電製品、食品など）を作業対象物として想定できる。
【００４６】
前記工程コードテーブル２２５は、作業対象物毎の作業工程順序と各作業工程の識別情報とを格納したテーブルである。ここで例示した工程コードテーブル２２５は、例えば、工程コード“１”〜“７”までの最大７つの作業工程として、「段取り」、「表面実装」、「挿入実装」、「はんだ付け」、「目視」、「ワニス」、「検査」について、該当作業工程の実施要否を、「○」＝必要、「−」＝不要、で設定したものである。この実施要否については、組み立てコード、「ＡＡ」、「Ｂ０」、「Ｃ０」の３つのパターン毎に設定されている。前記組み立てコードは前記プリント基板の型式に対応付いている。
【００４７】
図の例では、例えば、組み立てコード“ＡＡ”には、工程コード“１”＝「段取り」、“２”＝「表面実装」、“４”＝「はんだ付け」、“５”＝「目視」、“６”＝「ワニス」、“７”＝「検査」の順序で各作業工程が対応付いている。
【００４８】
前記組み立てコードテーブル２２６は、作業対象物としての前記プリント基板の型式に対し、前記工程コードテーブル２２５における組み立てコード、「ＡＡ」、「Ｂ０」、「Ｃ０」のうち、前記プリント基板の組み立て作業の内容に合致するものを対応付けて設定したテーブルである。図の例では、プリント基板型式“PB001”には、組み立てコード“ＡＡ”が、プリント基板型式“PA002”には、組み立てコード“Ｂ０”が、プリント基板型式“PC003”には、組み立てコード“Ｃ０”が、プリント基板型式“DB001”には、組み立てコード“ＡＡ”が、それぞれ対応付けされている。
【００４９】
また、前記作業状態フラグテーブル１２５は、前記端末１００が、前記ＲＦＩＤタグ５０に対して書き込む作業状態フラグのテーブルである。前記端末１００は、入力インターフェース１０５にて、例えば作業員から作業状態の指示を受け付けて、この指示が示す作業状態に応じた作業状態フラグを前記作業状態フラグテーブル２２７から抽出し、リーダライタ２０を介してＲＦＩＤタグ５０に作業状態フラグの書込設定をする。こうした作業状態フラグテーブル１２５は、例えば、作業なし（＝つまり作業不要）、未作業（＝作業は必要だがまだ開始していない）、作業中、作業済み、作業変更、といった作業状態に対し、それぞれ対応する作業状態フラグ、“０”〜“４”を設定している。
【００５０】
この場合、前記ＲＦＩＤタグ５０は、前記ＥＥＰＲＯＭ５７において、作業完了フラグ（上記例では、“作業済み”のフラグである“３”）だけでなく前記各作業工程“１”〜“７”についての作業状況を示す作業フラグ“０”〜“４”を格納するとしてもよい。この場合、前記ＲＦＩＤタグ５０は、前記格納情報たる作業工程順序および各作業工程の識別情報と該当作業工程の識別情報に対応付けて作業状態フラグを格納することになる。
【００５１】
図４に、本実施形態のＲＦＩＤタグ５０における格納情報（製品情報）の構成例を示す。前記作業状態フラグは、図３の工程情報１８に示すように作業工程の識別情報たる工程コード“１”〜“７”のそれぞれに対し、当初は“１”、なし“０”が設定されている。その後、作業工程の現場において作業対象物に対する作業工程（例えば、工程コード“１”）での作業が開始されれば、前記端末１００はこの指示を入力インターフェース１０５で受け付けて、前記作業状態フラグテーブル１２５から“２”、つまり「作業中」に対応する作業状態フラグを抽出し、前記ＲＦＩＤタグ５０の前記工程情報１８における該当作業工程“１”に対応付けて書込設定する。その他の作業状態についても同様の処理となる。
【００５２】
なお、前記ＲＦＩＤタグ５０は、図４に示すように、前記工程情報１８の他に、タグＩＤ１３、作業対象物の管理識別情報たるプリント基板型式１４、数量１５（プリント基板のロットにＲＦＩＤタグ５０が添付される場合のロット数量）、プリント基板の属するロット番号１６、前記プリント基板型式に応じた組み立てコード１７をＥＥＰＲＯＭ５７に記憶している。勿論これらのデータ１３〜１７は、前記管理サーバ２００が予め設定したものである。また、前記データ１３〜１８を含めて製品情報１２とする。
【００５３】
−−−処理フロー例１−−−
以下、本実施形態における工程管理方法の実際手順について、図に基づき説明する。なお、以下で説明する工程管理方法に対応する各種動作は、前記システム１０を構成する各装置のＲＡＭに読み出して実行するプログラムによって実現される。そして、このプログラムは、以下に説明される各種の動作を行うためのコードから構成されている。
【００５４】
図５は本実施形態の工程管理方法の処理フロー例１を示す図である。ここでは、作業対象物たるプリント基板が生産ラインに投入される前のＲＦＩＤタグ５０に対し、必要なデータを書込処理し、印字媒体３１の出力を行う流れについて説明する。この場合、前記管理サーバ２００の書込手段２１１は、入力インターフェース２０５（ないし前記通信手段２０７を介した他端末）から、作業対象物の情報として、例えば、前記プリント基板の型式“PB001”を含む書込指示を受け付けて、前記記憶手段２０１の組み立てコードテーブル２２６より該当する組み立てコード“ＡＡ”を特定する（ｓ１００）。なお、前記書込指示は、管理サーバ２００自身がリーダライタ２５から前記ＲＦＩＤタグ５０が格納するプリント基板型式１４のデータを読み取った時に、自身で発行するとしてもよい（ＲＦＩＤタグ５０のＥＥＰＲＯＭ５７には当該ＲＦＩＤタグ５０の付帯対象となるプリント基板について前記プリント基板型式１４のデータが格納されている為）。
【００５５】
また、前記特定した組み立てコード“ＡＡ”をキーに前記工程コードテーブル２２５より該当する工程コード、作業工程名、作業工程の実施要否の各情報（作業工程順序とそれに含まれる各作業工程の識別情報）を読み出して（ｓ１０１）、これら書込用情報を、前記通信手段２０７を介したリーダライタ２５経由で、前記プリント基板“PB001”に取り付けられるＲＦＩＤタグ５０に対して書き込みを行う（ｓ１０２）。
【００５６】
一方、前記リーダライタ２５は、前記管理サーバ２００から書込用情報を受信する。そして、前記ＲＦＩＤタグ５０の通信手段５８を介して前記ＥＥＰＲＯＭ５７に対する前記書込用情報の書込を実行する（ｓ１０３）。ＲＦＩＤタグ５０では、前記書込用情報を前記工程情報１８として格納することとなる。また、このＲＦＩＤタグ５０のＥＥＰＲＯＭ５７には、上述の通り、前記工程情報１８を含む製品情報１２が格納される。この工程情報１８以外の、タグＩＤ１３、プリント基板型式１４、数量１５、ロット番号１６、組み立てコード１７については予め設定されている。
【００５７】
また、前記管理サーバ２００の印字指示手段２１２は、前記ＲＦＩＤタグ５０に関する書込用情報の全部または一部についての印字媒体３１への印刷指示を、前記通信手段２０７を介してプリンタ装置３０に送信する（ｓ１０４）。前記プリンタ装置３０の印字手段３６は、前記管理サーバ２００より前記印刷指示を受信し（ｓ１０５）、当該印刷指示が含む前記書込用情報の全部または一部の情報を印字媒体３１に印字処理し、搬送機構３２により前記印字媒体３１を排出する（ｓ１０６）。前記プリンタ装置３０が印字媒体３１に印字した前記書込用情報の全部または一部の情報としては、例えば、図２の印字媒体３１に示すように、ロット番号（図の例では“111111”）、プリント基板型式（図の例では“PB001”）、工程コード（図の例では“１”〜“７”）、作業状態フラグ（図の例では“１”ないし“０”）が想定できる。
【００５８】
また、前記プリンタ装置３０の印字手段３６は、当該プリンタ装置３０の印字媒体排出口３３と前記ＲＦＩＤタグ５０が備える（印字媒体３１の）収容構造５９の開口６０との間を結ぶ搬送路３４上を、移動機構３５でもって前記印字媒体３１を移動させ、前記ＲＦＩＤタグ５０の前記開口６０に挿入する（ｓ１０７）。
【００５９】
こうして書込用情報の書込処理と印字媒体３１のセットがなされた前記ＲＦＩＤタグ５０は、プリント基板と共に生産ライン上を流れていくことになる。
【００６０】
−−−処理フロー例２−−−
次に、生産ライン上を流れ行くプリント基板に付帯した前記ＲＦＩＤタグ５０に対する各種処理について説明する。図６は本実施形態の工程管理方法の処理フロー例２を示す図である。図１にて示したように、生産ラインは複数の作業工程に分かれており、各作業工程にはそれぞれ前記端末１００およびリーダライタ２０が設置されている。
【００６１】
この場合、前記端末１００の完了設定手段１１２は、入力インターフェース１０５（ないし前記通信手段１０７を介した他端末）から、作業開始、作業完了など作業状態の通知指示を受信し、この通知指示が含む作業状態に応じた作業状態フラグを前記作業状態フラグテーブル１２５から抽出する（ｓ２００）。例えば、前記通知指示が、“作業開始”であれば、前記端末１００の完了設定手段１１２は、前記作業状態フラグテーブル１２５から作業状態フラグ“２”（＝作業中）を抽出する。また、前記完了設定手段１１２は、前記記憶手段１０１から、前記管理識別情報５として、例えば、工程コード“２”を読み出す。
【００６２】
そして、前記作業状態フラグ“２”を、前記プリント基板“PB001”に付帯した前記ＲＦＩＤタグ５０のＥＥＰＲＯＭ５７において、前記工程情報１８における、該当作業工程“２”（＝前記管理識別情報５としての“２”に対応）に対応付けて書込処理する（ｓ２０１）。この書込処理は、前記通信手段１０とリーダライタ２０を介して実行する。この書込処理後における前記ＥＥＰＲＯＭ５７の工程情報１８について、例えば、図４の最下段の例に示している。工程コード“２”の作業状態フラグが“２となった。
【００６３】
こうして、前記プリント基板“PB001”は生産ライン上の各作業工程を巡ることになる。例えば、工程コード“４”の作業工程の開始時において、この工程コード“４”の作業工程に設置されている端末１００の変更確認手段１１０は、前記プリント基板“PB001”に付帯する前記ＲＦＩＤタグ５０に対する読み取り動作を行ったリーダライタ２０より、前記ＲＦＩＤタグ５０の格納情報を通信手段１０７を介して受信する（ｓ２０２）。また、ここで受信した格納情報が含む前記工程情報１８（作業工程順序および各作業工程の識別情報）と、前記記憶手段１０１から読み出した管理識別情報５たる“４”（＝工程コード）とを照合して、前記管理識別情報５たる“４”に対応する作業工程より順序が後の後続作業工程“５”〜“７”を特定する（ｓ２０３）。
【００６４】
また、前記端末１００の変更確認手段１１０は、この後続作業工程の作業工程順序および識別情報、つまり作業工程順序“５”〜“７”および工程コード“５”、“６”、“７”と、該当プリント基板のプリント基板型式“PB001”（前記ＲＦＩＤタグ５０から得た格納情報に含まれている）とを含む変更確認要求を、前記通信手段１０７を介して管理サーバ２００に送信する（ｓ２０４）。
【００６５】
一方、前記管理サーバ２００の判定手段２１０は、前記通信手段２０７を介して変更確認要求を受信し、当該変更確認要求が含む前記プリント基板のプリント基板型式“PB001”および後続作業工程の作業工程順序および識別情報と、前記工程コードテーブル２２５とを照合する（ｓ２０５）。これにより、該当プリント基板“PB001”の前記後続作業工程“５”〜“７”について前記工程コードテーブル２２５で変更が生じている作業工程を判定し、当該判定結果を前記通信手段２０７を介して前記端末１００に送信する（ｓ２０６）。
【００６６】
例えば上記例であれば、前記判定手段２１０は、前記プリント基板型式“PB001”の組み立てコード“ＡＡ”を前記組み立てコードテーブル２２６で特定し、この組み立てコード“ＡＡ”をキーに、前記工程コードテーブル２２５から、前記工程コード“５”以降の作業工程の実施要否のデータを読み出す。図３（ａ）の例の場合、前記判定手段２１０は、前記組み立てコード“ＡＡ”についての工程コード“５”は“○”（＝実施要）、同様に工程コード“６”は“○”（＝実施要）、工程コード“７”は“○”（＝実施要）、のデータを読み出し、これらデータが、いずれも前記ＲＦＩＤタグ５０から得た前記後続作業工程と相違ないと判定できる。他方、前記判定手段２１０は、前記組み立てコード“ＡＡ”についての工程コード“５”〜“７”の各工程の実施要否のデータが、前記ＲＦＩＤタグ５０から得た前記後続作業工程と相違していた場合、変更がある作業工程を特定する。
【００６７】
一方、前記端末１００の変更情報出力手段１１１は、前記通信手段１０７を介して前記変更確認要求に応じた判定結果を前記管理サーバ２００より受信し、当該判定結果が示す前記後続作業工程において変更がある作業工程の識別情報を出力インターフェース１０６に出力する（ｓ２０７）。この時、前記変更情報出力手段１１１は、前記判定結果が示す前記後続作業工程“５”〜“７”において変更がある作業工程の識別情報と、前記印字媒体３１の印字内容の確認要求とを出力インターフェース１０６に出力する。
【００６８】
工程コード“４”の当該作業工程における作業員は、前記出力インターフェース１０６に表示された、変更がある作業工程の識別情報（例えば、工程コード“６”）と、前記印字媒体３１の印字内容の確認要求とを認識し、前記工程コード“６”について、前記印字媒体３１の印字内容との相違を確認した上で、入力インターフェース１０５で変更承認の指示を入力することになる。
【００６９】
一方、前記変更情報出力手段１１１は、前記入力インターフェース１０５にて、前記変更がある作業工程の書き込み承認指示を受け付けて、前記後続作業工程において変更がある作業工程“６”について変更後の識別情報（ここでは実施要否を“−”＝不要）へ書き換える処理を、前記通信手段１０７を介したリーダライタ２０経由で、前記プリント基板“PB001”に取り付けられるＲＦＩＤタグ５０に対して実行する（ｓ２０８）。その後、処理は前記ステップｓ２０２に戻る。
【００７０】
また前記端末１００の未完了警告手段１１４は、前記プリント基板“PB001”に付帯する前記ＲＦＩＤタグ５０に対する読み取り動作を行ったリーダライタ２０より、前記ＲＦＩＤタグ５０の格納情報を通信手段１０７を介して受信し、ここで受信した格納情報が含む工程情報１８（作業工程順序および各作業工程の識別情報）と、前記記憶手段１０１から読み出した管理識別情報５たる工程コード“４”とを照合し、前記管理識別情報たる工程コード“４”より順序が前の前作業工程“１”〜“３”を特定する（ｓ２０９）。
【００７１】
前記未完了警告手段１１４は、この前作業工程毎の作業状態フラグを前記受信した工程情報１８中で特定し、前記前作業工程“１”〜“３”において作業済みのフラグが対応付いていない作業工程があるか判定する（ｓ２１０）。例えば、工程コード“１”についての作業状態フラグは“３”＝つまり作業済み、工程コード“２”についての作業状態フラグは“１”＝つまり未作業、であったとすれば、前記未完了警告手段１１４は、工程コード“２”について作業済みのフラグが対応付いていないと判定できる。
【００７２】
前記未完了警告手段１１４は、この作業済みフラグが対応付いていない該当作業工程“２”の工程コード“２”を未完了作業工程の情報として出力インターフェース１０６に出力する（ｓ２１１）。図８（ａ）にて、この出力インターフェース１０６での未完了作業工程の情報表示の例を示している。この図の例では、前記管理識別情報５たる工程コード“４”に対応する工程名“はんだ付け”を自工程コード６０３として表示し、この工程“はんだ付け”の作業状態については作業区分６０５として示している。また、未完了作業工程の情報６０１として、「前工程の表面実装へ戻してください」なるメッセージ表示を行っている。この処理フロー例２は、該当作業対象物が生産ライン上を流れ終わるまで、つまり全ての作業工程について作業済みフラグが設定されるまで継続する。
【００７３】
−−−処理フロー例３−−−
次に、ある作業工程で作業が完了した際の処理について説明する。図７は本実施形態の工程管理方法の処理フロー例３を示す図である。例えば、工程コード“６”の“ワニス”の作業工程が完了した状態を想定する。この場合、前記工程コード“６”の作業工程に設置されている端末１００の完了設定手段１１２は、入力インターフェース１０５（ないし前記通信手段１０７を介した他端末）から作業完了通知を受信する（ｓ３００）。
【００７４】
この時、前記端末１００の完了設定手段１１２は、前記変更情報出力手段１１１により前記管理サーバ２００から受信した前記判定結果（前記ステップｓ２０７で得た結果）が、後続作業工程（この場合は、作業工程“７”）において変更がある作業工程が無いものであり、前記未完了警告手段１１４による判定で前作業工程（この場合は、作業工程“１”〜“５”）に作業済みフラグが対応付いていない作業工程が無いか（前記ステップｓ２１０で判定した結果）、判定する（ｓ３０１）。
【００７５】
前記完了設定手段１１２は、後続作業工程において変更がある作業工程が無く、前作業工程に作業済みフラグが対応付いていない作業工程が無いと判定した場合（ｓ３０１：ＯＫ）、前記プリント基板“PB001”に付帯した前記ＲＦＩＤタグ５０に対する、該当作業工程の工程コード“６”に対応付けた作業済みフラグ“３”の書込処理を、前記通信手段１０とリーダライタ２０を介して実行する（ｓ３０２）。前記完了設定手段１１２は、前記作業状態フラグテーブル１２５から、作業状態フラグとして“３”を抽出し、この作業状態フラグ“３”を前記ＲＦＩＤタグ５０の工程情報１８の前記工程コード“５”に対応付けて設定することになる。
【００７６】
また、前記端末１００の次作業工程指示手段１１３は、前記ＲＦＩＤタグ５０の格納情報が含む工程情報１８（作業工程順序および各作業工程の識別情報）に基づいて、前記作業済みフラグ“３”の書込処理対象となった前記作業工程“６”の次作業工程の工程コード“７”を特定し、当該次作業工程の工程コード“７”を出力インターフェース１０６に出力する（ｓ３０３）。この次作業工程について出力インターフェース１０６に出力した例を図８（ｂ）に示す。この例では、前記工程コード“６”に対応する作業工程「ワニス」とその作業状態の情報を、自工程コード６０３および作業区分６０５として表示している。また、次作業工程“７”に関する情報６０１として該当作業名「検査」を表示している。こうして、作業工程の作業員らは次の作業工程を確実に確認できる。
【００７７】
したがって本実施形態によれば、作業工程指示の急な変更に対応し、次作業内容の確実な指示が可能となる。
【００７８】
以上、本発明の実施の形態について、その実施の形態に基づき具体的に説明したが、これに限定されるものではなく、その要旨を逸脱しない範囲で種々変更可能である。
【図面の簡単な説明】
【００７９】
【図１】本実施形態の工程管理システムのネットワーク構成図である。
【図２】本実施形態における印字媒体の搬送形態例とＲＦＩＤタグの構造例を示す図である。
【図３】本実施形態における（ａ）工程コードテーブル、（ｂ）組み立てコードテーブル、（ｃ）作業状態フラグテーブルの各構成例を示す図である。
【図４】本実施形態におけるＲＦＩＤタグの格納情報例を示す図である。
【図５】本実施形態の工程管理方法の処理フロー例１を示す図である。
【図６】本実施形態の工程管理方法の処理フロー例２を示す図である。
【図７】本実施形態の工程管理方法の処理フロー例３を示す図である。
【図８】本実施形態の出力例を示す図である。
【符号の説明】
【００８０】
１０  工程管理システム
１２  製品情報
１８  工程情報
２０、２５  ＲＦＩＤリーダライタ
３０  プリンタ装置
３１  印字媒体
３２  搬送機構
３３  印字媒体排出口
３４  搬送路
３５  移動機構
３６  印字手段
５０  ＲＦＩＤタグ
５１  ＲＦＩＤチップ
５２  プラスティック筐体
５３  プログラム
５４  ＲＯＭ
５５  ＲＡＭ
５６  ＣＰＵ
５７  ＥＥＰＲＯＭ
５８  通信手段
５９  収容構造
６０  開口
１００  端末
１０１、２０１  記憶手段
１０２、２０２  プログラム
１０３、２０３  ＲＡＭ（Random Access Memory）
１０４、２０４  ＣＰＵ（Central Processing Unit）
１０５、２０５  入力インターフェイス
１０６、２０６  出力インターフェイス
１０７、２０７  通信手段
１１０  変更確認手段
１１１  変更情報出力手段
１１２  完了設定手段
１１３  次作業工程指示手段
１１４  未完了警告手段
１２７  作業状態フラグテーブル
１４０  ネットワーク
２００  管理サーバ
２１０  判定手段
２１１  書込手段
２１２  印字指示手段
２２５  工程コードテーブル
２２６  組み立てコードテーブル
【図２】
2010146090.tif 000003
【図３】
2010146090.tif 000004
【図４】
2010146090.tif 000005
【図５】
2010146090.tif 000006
【図６】
2010146090.tif 000007
【図７】
2010146090.tif 000008
【図８】
2010146090.tif 000009
【図１】
2010146090.tif 000010